(57)【要約】 【課題】  梳き鋏の手入れは、枢結部分から刃先に向かって汚れを布で拭い取るようにしているが、このときに刃の峰部裏側部分が、角面であるため感触が必ずしも良好とはいえないし、鋏の鞘収納時も、峰部裏側部分が角形状であるために鞘への挿入がスムーズさにかける。また櫛歯間隙に進入した毛髪（非切断対象毛髪）が櫛棒側面に当接し擦れるという問題がある。このような梳き鋏が有する峰部や櫛棒の面取り箇所における問題を解決する理容用梳き鋏を提供する。【解決手段】  両刃部２ａ，２ｂを閉じた際の前記露出峰部（Ｌ範囲）２１ａ，２１ｂを、表裏のまたがる弧状面に形成してなり、櫛刃部２ａを構成する各櫛棒部の両側角部をＲ状に面取りしてなる。【選択図】  図１
2005066081.tif 000002
【特許請求の範囲】
【請求項１】
端側に指孔部を設け、他方側に峰部から刃縁まで徐々に薄くした断面の刃部を設けた二本の鋏部材で構成し、両鋏部材を交叉させると共に交叉部を枢結し、一方の鋏部材の刃部を櫛刃部とし、他方を細幅の棒状刃部として、両刃部を閉じた際に各峰部が他方刃部の刃縁から突出して露出する形状に形成した理容用梳き鋏において、両刃部を閉じた際の前記露出峰部を、表裏にまたがる弧状面に形成してなることを特徴とする理容用梳き鋏。
【請求項２】
櫛刃部を構成する各櫛棒部の両側角部をＲ状に面取りしてなる請求項１記載の理容用梳き鋏。
【発明の詳細な説明】
【技術分野】
【０００１】
本発明は、理容用梳き鋏に関するものである。
【背景技術】
【０００２】
理容用梳き鋏は、毛髪を間引くように切断するためのもので、基本的には二本の鋏部材の一方の切り刃部を櫛歯状に形成すると共に、各櫛歯の先端に刃を形成し、毛髪切断時に毛髪の一部が櫛歯間隙に逃げ、櫛歯状刃部と対抗刃部で挟まれる毛髪が、切断されるものである。
【０００３】
ところで理容用梳き鋏の刃部の横断面は、所謂ハマグリ形状で、刃部裏面（刃摺り合わせ面）が浅い掬い面で、刃部表面が峰部から刃縁までの傾斜面となっており、峰部の形状は一般的に、刃部表面から峰頂部に至る箇所（峰表側部分）がＲ面となっていたり（特許文献１）、崖面となっている（特許文献２）。
【０００４】
そして刃部裏面から峰部に至る箇所（峰裏側部分）は、図示状態では不明確であるが研磨による面取りが一般的である。
【０００５】
また櫛刃部を構成する櫛棒の断面形状は、四角形であるのが一般的であるが、各角部を面取りした多角形状とすることも提案されている（特許文献３）。
【０００６】
【特許文献１】特開２００１―１４９６６８号公報の図４。
【特許文献２】特開平８―２９９６２２号公報の図４。
【特許文献２】特開平１０―１７４７８８号公報の図４。
【発明の開示】
【発明が解決しようとする課題】
【０００７】
梳き鋏の手入れに際して、布による拭浄は峰部分を布で覆い、枢結部分から刃先に向かって汚れを拭い取るようにしている。このときに刃峰の裏側部分が、角面であるため感触が必ずしも良好とはいえない。また鋏を鞘に収納する際も、前記の峰裏側部分が角形状であるために鞘への挿入がスムーズさにかけるという問題もある。
【０００８】
また櫛刃部を構成する櫛棒は、前記特許文献３で提案されているように角部を面取りすると、櫛歯間隙に進入した毛髪（非切断対象毛髪）を傷めない効果があるが、毛髪自体の弾性を考慮すると、単に面取りしたのみでは、面取り後の角部が毛髪に当接し擦れるという問題が解消できない。
【０００９】
そこで本発明は、梳き鋏が有する峰部や櫛棒の面取り箇所における問題を解決する理容用梳き鋏を提案したものである。
【課題を解決するための手段】
【００１０】
本発明に係る理容用梳き鋏は、端側に指孔部を設け、他方側に峰部から刃縁まで徐々に薄くした断面の刃部を設けた二本の鋏部材で構成し、両鋏部材を交叉させると共に交叉部を枢結し、一方の鋏部材の刃部を櫛刃部とし、他方を細幅の棒状刃部として、両刃部を閉じた際に各峰部が他方刃部の刃縁から突出して露出する形状に形成した理容用梳き鋏において、両刃部を閉じた際の前記露出峰部を、表裏にまたがる弧状面に形成してなることを特徴とするものである。
【００１１】
従って刃部の峰部が表裏共にＲ面となるので、梳き鋏の手入れ時に、布で峰部分を枢結部分から刃先に向かって汚れを拭い取るときに、指先の感触が良好で汚れを落とし易く、また鋏を鞘に収納する際も、鞘への挿入がスムーズになされる。
【００１２】
本発明（請求項２）は、櫛刃部を構成する各櫛棒部の両側角部をＲ状に面取りしてなることを特徴とするものである。
【００１３】
従って櫛歯間隙に進入した毛髪（非切断対象毛髪）が、Ｒ状の面取り部分に当接するので、擦れて傷めるという問題は生じない。
【発明の効果】
【００１４】
本発明は、梳き鋏の刃部における所定の範囲の峰部を表裏にまたがるＲ状弧面に形成することで、刃部の手入れ作業をし易くし、更に鞘収納をスムーズにすることができ、また櫛刃部を構成する櫛棒の角部分をＲ面に形成して、使用時における毛髪の傷みの発生を防止できたものである。
【発明を実施するための最良の形態】
【００１５】
次に本発明の実施の形態について説明する。実施形態に示した梳き鋏は、基本的に従前のものと同様で、一端側に指孔部１ａ，１ｂを設けると共に、他方側に刃部２ａ，２ｂを設けてなる二本の鋏部材Ａ，Ｂで構成され、両鋏部材Ａ，Ｂを中央部分で交叉させ、交叉部を枢結Ｃしたもので、一方の鋏部材Ａの刃部を櫛刃部２ａとし、他方の鋏部材Ｂの刃部を細幅の棒状刃部２ｂとして、両刃部２ａ，２ｂを閉じた際に、各峰部２１ａ，２１ｂが他方刃部の刃縁から突出して露出する形状に形成したものである。
【００１６】
更に前記の刃部２ａ，２ｂの各峰部２１ａ，２１ｂは、鋏を閉じた際に露出している範囲（Ｌ範囲）で、表裏に跨る弧状面に形成してなる。具体的には図３ロに例示するとおり、従来の鋏の刃部断面における峰部の裏側部分（Ｘ１部分）が、図３イの大きなＲ面（Ｘ部分）となったものである。
【００１７】
また刃部２ａの各櫛棒２２は、櫛歯間隙２３に面する角部をＲ状の弧状面（Ｙ部分）としたものである。即ち図４ロの角部Ｙ１を全く面取りしていない従来器具や、図４ハに示した特許文献３に記載されている面取り角部Ｙ２に比較して明らかなような、断面を角丸形状としたものである。
【００１８】
前記弧状面Ｙの形成は、外周研削面が凹状弧面の回転砥石Ｚを使用すると容易に形成できるものである。勿論粗研磨として図４ハに示すような面取りを施した後に弧状面に形成しても良い。
【００１９】
而して一般の理容用梳き鋏と同様に指孔部１ａ，１ｂに指を装着して調髪を行うと、一部の毛髪が櫛歯間隙２３に逃げることで梳き刈りが実現するもので、特に櫛歯間隙２３に逃げた毛髪が鋏との相対的な移動で櫛棒２２の周面と当接して擦れても、当該箇所がＲ状面であるので、毛髪が傷むようなことがない。また図５に示すように櫛棒２２における櫛棒側面２４を膨出弧状面に形成すると、前記弧状面Ｙとあいまってより以上毛髪の後の発生が抑えられる。
【００２０】
また峰部２１も対向刃部２ａ，２ｂの刃縁から突出して露出した峰部２１ａ，２１ｂが表裏にわたってＲ面となっているので、布で峰部分を枢結部分から刃先に向かって汚れを拭い取るときに、指先の感触が良好で汚れを落とし易い。また鋏部材Ａ，Ｂを閉じた際には、前記Ｒ面が露出峰部に限定されているため、刃縁部分の裏面は対向刃部２ａ，２ｂの裏面に密着していることになり、刃縁が浮き上がっていないので、鋏を鞘に収納する際も、鞘への挿入がスムーズになされるものである。
【図面の簡単な説明】
【００２１】
【図１】本発明の実施形態の全体図（鋏部材開口状態）。
【図２】同図（鋏部材閉口状態）。
【図３】同刃部の横断面図で（イ）は本発明の例（ロ）は従来例を示す。
【図４】同櫛刃部の縦断面で（イ）は本発明の例（ロ）及び（ハ）は従来例を示す。
【図５】同刃部の別例の横断面図。
【符号の説明】
【００２２】
１ａ，１ｂ      指孔部
２ａ            刃部（櫛刃部）
２ｂ            刃部（棒状刃部）
２１ａ，２１ｂ  峰部
２２            櫛棒
２３            櫛歯間隙
２４            櫛棒側面
【図１】
2005066081.tif 000003
【図２】
2005066081.tif 000004
【図３】
2005066081.tif 000005
【図４】
2005066081.tif 000006
【図５】
2005066081.tif 000007